(57)【要約】      （修正有）【課題】土壌のない場所である建物の屋上やベランダの空間、地上の舗装、戸建てスペースに、取り付け、取り外し式の平面緑化トレーを連結することにより大面積から小面積まで容易に平面緑化及び撤去が可能となるプラスチックトレーを提供する。【解決手段】上載荷重に対してトレー中央部に四本の中空円柱と、四辺中央に中空半円柱、ならびに底部四隅の円弧脚で荷重を支持し、排水経路の確保、及びトレー内の容積の低減すなわち植物湿潤時荷重の軽量化を解決した。連結に関しては平面上部の四隅を円弧構造として空いているコナースペースに連結ボルトを埋め込み、四つのトレー連結プレートおよび端部においては二つのトレー連結プレートにより固定することにより解決した。【選択図】図１
0003147794.tif 000002
【実用新案登録請求の範囲】
【請求項１】
再生プラスチック材を原料として、中央部に四本の中空円柱・脚と、四辺中央に中空半円柱・脚、ならびに底部四隅の円弧柱・脚で荷重を支持し、排水経路の確保、及びトレー内の容積の低減すなわち植物湿潤時荷重の軽量化したプラスチックトレー。
【請求項２】
連結に関しては平面上部の四隅を円弧構造として空いているコナースペースに連結ボルトを埋め込み、四つのトレー連結プレートおよび端部においては二つのトレー連結プレートをナットにて固定。
【考案の詳細な説明】
【技術分野】
【０００１】  本考案は屋上、地上を問わず簡易にして平面緑化を行うトレーに関するものである。
【背景技術】
【０００２】  都市及び近郊はコンクリートの建物、鉄骨建物、舗装に囲まれおり、戸建て住宅においてもコンクリート土間等で容易に環境対策や癒しとしての平面緑化に取り組めない環境にある。
【考案の開示】
【考案が解決しようとする課題】
【０００３】  土壌のない場所である建物の屋上やベランダの空間、地上の舗装、戸建てスペースに、取り付け、取り外し式の平面緑化トレーを連結することにより大面積から小面積まで容易に平面緑化及び撤去が可能となり、環境対策としての屋上緑化はもちろんのこと、個人の癒し場所としての平地緑化を解決しようとするものである。
【課題を解決すための手段】
【０００４】  屋上、屋根緑化においては植物の育成の安定を第一として植物湿潤時荷重が最少となるような軽量化、合わせて育成に必要な排水処理が有効に機能すること、また容易な取り付け、取り外しが条件である。本考案では上載荷重に対してトレ−中央部に四本の中空円柱と、四辺中央に中空半円柱、ならびに底部四隅の円弧脚で荷重を支持し、排水経路の確保、及びトレ−内の容積の低減すなわち植物湿潤時荷重の軽量化を解決した。連結に関しては平面上部の四隅を円弧構造として空いているコナースペースに連結ボルトを埋め込み、四つのトレー連結プレートおよび端部においては二つのトレー連結プレートにより固定することにより解決した。
【考案の効果】
【０００５】  上述の構造形式によりトレー内に空間を設けることにより植物湿潤時荷重を１５％以上低減可能とした。これにより荷重条件の緩和を図ることができ利用範囲を拡大することができる。また底部脚部の排水面はＳ字を描きながら流れるため、降雨、潅水に対しても自然流化が可能となり排水パイプ等の設備を必要としない。
維持管理においては植物の育成に伴って不良個所が発生した場合に、不良範囲のトレーを連結プレートから外し育成されたトレ−を交換することにより簡単に維持できる。特に有利な効果としては屋上緑化において、育成された緑化トレーの設置費用と撤去費用は同等であることから、維持管理の少ない植物を選定することや、撤去された緑化トレーを転用することによりサイクルコスト的に有利である。
【考案の実施するための最良の形態】
【０００６】  屋上緑化において最適な植物の選択が維持管理費用に重要なウエイトを占めることから、形態としては常緑草であるタマリュウと考案トレ−との組み合わせである。タマリュウは国内栽培域が北海道から沖縄めでの全土であること、年間を通じ緑葉で葉丈６ｃｍ程度、密生状で雑草を抑制し病虫害防除、施肥の軽減ができる。この特性を生かし密生状になるまで考案トレ−で育成し、運搬、現地にて連結することにより景観形成を完了させる。連結方法により大小面積の長方形、正方形、ひし形平面等の緑化を可能とした、また対角線形状や緑化トレーを大小の縁取りとしても利用できデザイン感覚で配列を楽しむことができる。
【実施例】
【０００７】    以下、添付図面に沿って実例を説明する。▲１▼は再生プラスチックを利用したトレー本体で他の場所での緑化に転用する。▲２▼はトレー内の容積を低減するための中空円柱及びトレー強度増すことと、排水に考慮した円柱脚である。▲５▼についても▲２▼同様で形状は円弧柱、円弧脚である。▲６▼についても▲２▼同様で形状は半円柱、半円脚である。このことにより、植物湿潤時荷重を１５％以上低減可能とし利用範囲の拡大をすることができる。【０００８】  ▲７▼は脚高さであり排水、通気部分となる。図３は連結されたトレーの底版部であり▲３▼の底面のメッシュから流出した水は屋上勾配に沿って図３の排水面積を使い矢印の排水経路をよどみなくＳ字状に下に流れる。
このことにより水、ゴミつまりを解消される。【０００９】  ▲４▼はトレー連結用のプラスチックボルトであり▲９▼は連結プラスチックプレートの断面で上部が落とし込みの形状である。▲１０▼は端部における２連結プレートであり、▲１１▼は４連結プレートである。
考案したトレーでタマリュウを密状に生育し現地にてトレーを並べ連結プレートをトレーの四隅のボルトに通しプラスチックナットで固定する。このことにより、育成不良ヵ所の交換、トレー全体の撤去が容易になる。
【図面の簡単な説明】
【００１０】
【図１】連結式平面緑化トレーの平面図
【図２】各位置での断面図
【図３】底版部の排水面積図及び排水経路図
【図４】連結部分の詳細図
【符号の説明】
【００１１】▲１▼  緑化プレート本体（再生プラスチック材）
▲２▼  中空円柱・脚（再生プラスチック材）
▲３▼  排水、通気用底面メッシュ（再生プラスチック材）
▲４▼  緑化プレート連結ボルト（再生プラスチック材）
▲５▼  中空円弧柱・脚（再生プラスチック材）
▲６▼  中空半円柱・脚（再生プラスチック材）
▲７▼  排水、通気部分（脚高）
▲８▼  緑化プレート連結ナット（再生プラスチック材）
▲９▼  連結プレート断面図
▲１０▼  端部用２連結プレート（再生プラスチック材）
▲１１▼  ４連結プレート（再生プラスチック材）
▲１２▼  タマリュウ
▲１３▼  タマリュウ育成マット
▲１４▼  軽量土壌材
▲１５▼  保水マット
▲１６▼  防根シート
【図１】
0003147794.tif 000003
【図２】
0003147794.tif 000004
【図３】
0003147794.tif 000005
【図４】
0003147794.tif 000006
【手続補正書】
【提出日】平成20年10月10日(2008.10.10)
【手続補正１】
【補正対象書類名】実用新案登録請求の範囲
【補正対象項目名】全文
【補正方法】変更
【補正の内容】
【実用新案登録請求の範囲】
【請求項１】
再生プラスチック材を原料としたトレーを中空円柱、中空半円柱、ならびに四隅の中空円弧柱で荷重を支持することにより、トレー内の植物湿潤時荷重の低減を特徴とする軽量化プラスチックトレー
【請求項２】
四隅の中空円弧柱上面に連結ボルトを埋め込み、トレー連結プレートをナットに固定することを特徴とする請求項１記載のプラスチックトレー。